(57)【要約】【課題】設計コストや重量の増加を抑えて、遊技機の外部からの不正な侵入を防止可能でかつ十分な強度を有する遊技機を提供する。【解決手段】遊技機は、筐体に支持されるベース部３０と、ベース部３０に支持され、前方かつ上方に設けられた上部ユニット４０と、一端側がベース部３０の上部に取り付けられた上板部材５０と、を備える。上部ユニット４０は、上部ユニット４０を構成する部品を支持するフレーム部４１と、上板部材５０と接続され、フレーム部４１及びフレーム部４１が支持する部品を覆う被覆部４５と、を有する。上板部材５０は、他端側がフレーム部４１に直接的に支持される。【選択図】図４
2019072412.tif 000002
【特許請求の範囲】
【請求項１】
固定部材に支持されるベース部と、
前記ベース部に支持され、前方かつ上方に設けられた上部ユニットと、
一端側が前記ベース部の上部に取り付けられた上板部材と、を備え、
前記上部ユニットは、
前記上部ユニットを構成する部品を支持するフレーム部と、
前記上板部材と接続され、前記フレーム部及び前記フレーム部が支持する部品を覆う被覆部と、を有し、
前記上板部材は、他端側が前記被覆部を介さずに前記フレーム部に支持される、
ことを特徴とする遊技機。
【請求項２】
前記被覆部と前記上板部材とは、一方の係合部が他方の被係合部に係合されることで接続される、
ことを特徴とする請求項１に記載の遊技機。
【発明の詳細な説明】
【技術分野】
【０００１】
本発明は、遊技機に関する。
【背景技術】
【０００２】
従来、外周面に図柄が配列されたリールを複数有するリールユニットを備えた遊技機（回胴式遊技機、スロットマシン）が知られている。この種の遊技機は、メダルやパチンコ玉などの遊技媒体に対して一定の遊技価値を付与し、このような遊技媒体を獲得するための遊技を行うものである。
【０００３】
上述した遊技機においては、筐体に取り付けられ開閉可能な上扉の遊技者と対向する前方側の扉である前扉に、報知や演出を行うための演出装置や遊技機を制御する制御基板とが設けられている。また、上述した遊技機においては、演出装置と前扉のフレームとの間に隙間が生まれ、遊技機の外部から制御基板に不正に侵入されてしまうことを防ぐために、演出装置と前扉のフレームとの間を、側壁と一体の頂壁からなる上壁部で被覆する技術が開示されている（例えば、特許文献１参照）。
【先行技術文献】
【特許文献】
【０００４】
【特許文献１】特開２０１７−８０１４９号公報
【発明の概要】
【発明が解決しようとする課題】
【０００５】
ここで、近年、遊技機においては、遊技機の外部から制御基板に不正に侵入されてしまうことを防止可能にするとともに、演出の興趣をより向上させるために、従来の演出装置よりも大型の演出装置を遊技機の上部に設けることが求められており、演出装置が大型化することで、演出装置が従来よりも前方にまで設けられる傾向にある。このため、特許文献１に記載の遊技機のように、演出装置とフレームとの間を側壁と頂壁とが一体の上壁部で被覆してしまうと、上壁部が大型化し製造コストや重量が増加してしまうといった問題がある。また、頂壁のみを前方に向けて延伸した場合には、頂壁がフレームに支持されるものの演出装置には固定支持されない片持ち梁形状となってしまうことで、十分な強度を有することが難しいという問題があった。
【０００６】
そこで本発明は、設計コストや重量の増加を抑えて、遊技機の外部からの不正な侵入を防止可能でかつ十分な強度を有する遊技機を提供することを目的とするものである。
【課題を解決するための手段】
【０００７】
（１）本発明は、固定部材（１０）に支持されるベース部（３０）と、
前記ベース部に支持され、前方かつ上方に設けられた上部ユニット（４０）と、
一端側が前記ベース部の上部に取り付けられた上板部材（５０）と、を備え、
前記上部ユニットは、
前記上部ユニットを構成する部品を支持するフレーム部（４１）と、
前記上板部材と接続され、前記フレーム部及び前記フレーム部が支持する部品を覆う被覆部（４５）と、を有し、
前記上板部材は、他端側が前記被覆部を介さずに前記フレーム部に支持される、ことを特徴とする。
【０００８】
（２）また、本発明において、前記被覆部と前記上板部材とは、一方の係合部（４７）が他方の被係合部（５８）に係合されることで接続される、ことを特徴とする。
【発明の効果】
【０００９】
本発明によれば、設計コストや重量の増加を抑えて、遊技機の外部からの不正な侵入を防止可能でかつ十分な強度を有する遊技機を提供することができる。
【図面の簡単な説明】
【００１０】
【図１】本発明の実施形態の遊技機の外観構成を示す斜視図である。
【図２】本発明の実施形態の遊技機の前面上扉の背面を示す背面図である。
【図３】本発明の実施形態の遊技機の前面上扉を構成する部材の一部を示す分解図である。
【図４】本発明の実施形態の遊技機のベース部、上部ユニット及び上板部材を示す断面図である。
【図５】本発明の実施形態の遊技機の上部ユニット及び上板部材を示す断面図である。
【発明を実施するための形態】
【００１１】
以下、本実施形態について説明する。なお、以下に説明する本実施形態は、特許請求の範囲に記載された本発明の内容を不当に限定するものではない。また、本実施形態で説明される構成の全てが、本発明の必須構成要件であるとは限らない。更に、本実施の形態のスロットマシン１を説明する上で、遊技者が対向して着座する側を「前」、その反対側を「後」とし、前側から後側に向かった方向を基準として「左」又は「右」とする。
【００１２】
１．スロットマシンの構成
図１は、本発明の実施形態に係るスロットマシン１の外観構成を示す斜視図である。スロットマシン１は、いわゆる回胴式遊技機と呼ばれるもので、メダルを遊技媒体として用いた遊技を行う種類の遊技機である。
【００１３】
スロットマシン１は、６面体構造のうち遊技者に対向する１面が開口した箱形の筐体１０内の中央部に、外周面に一定間隔で複数種類の図柄が配列された第１リール〜第３リールを備えるリールユニット（不図示）が収められている。また、筐体１０内のリールユニットの下部には、メダルの払出装置としてのホッパーユニット（不図示）が収められている。また、筐体１０内には、ＣＰＵ、ＲＯＭ（情報記憶媒体の一例）、ＲＡＭ等を搭載し、スロットマシン１の動作を制御する主制御基板（不図示）や、各部品に電力を供給するための電源装置及び電源装置のオンとオフとを切り換える主電源スイッチを内蔵した電源ユニット（不図示）等も収められている。
【００１４】
スロットマシン１には、筐体１０の開口する面を被覆する前面上扉２０と前面下扉６１とが、個別に開閉可能に設けられている。前面上扉２０には、上述した第１リール〜第３リールの回転状態及び停止状態を観察可能にする図柄表示窓６３が設けられている。スロットマシン１には、図柄表示窓６３を通じて観察される図柄の表示位置として、各リールについて上段、中段、下段が設けられている。例えば第１リール〜第３リールの停止状態では、各リールの図柄のうち外周面上に連続して配列されている３つの図柄が上段、中段、下段の各表示位置に表示されて、これらの図柄をスロットマシン１の正面から図柄表示窓６３を通じて観察できるようになっている。
【００１５】
また、スロットマシン１は、各リールの上段、中段、下段の表示位置の組合せによって有効ラインが設定されている。スロットマシン１は、１回の遊技を行うために必要となるメダルの数、いわゆる規定投入数が３枚に設定されており、規定投入数に相当するメダルが投入されると、例えば各リールの中段の表示位置によって構成される有効ラインが有効化される。
【００１６】
そして、遊技結果は、図柄表示窓６３内の有効ライン上に停止表示された図柄の組合せによって判定され、有効ライン上の図柄の組合せが予め定められた役に対応した図柄の組合せである場合に、その役が入賞したものとしてホッパーユニットからメダルの払い出し等が行われる。
【００１７】
また、前面上扉２０には、映像を表示することで遊技者の演出に対する興趣を向上させる液晶表示装置８０が設けられている。スロットマシン１では、遊技の進行や遊技者の演出に係る操作に対応する映像が液晶表示装置８０に表示され、遊技者に現在の遊技に係る状態や演出に係る状態が示唆又は報知されるように構成されている。
【００１８】
前面下扉６１の上部には、各種の操作手段が設けられている。操作手段としては、スロットマシン１内に電子的にクレジット（貯留）されたメダルの中から規定投入数のメダルを電子的に投入するマックスベットボタン６６、第１リール〜第３リールを回転させて遊技を開始する契機となる開始操作を遊技者に実行させるためのスタートレバー６７、回転中の第１リール〜第３リールのそれぞれを停止させる契機となる停止操作を遊技者に実行させるためのストップボタンＢ１〜ストップボタンＢ３及び貯留されたメダルを精算して全て排出するための精算ボタン６８が設けられている。
【００１９】
スロットマシン１は、遊技者が規定枚数以上のメダルをメダル投入口６９に投入するか、規定投入数以上のメダルが貯留されている状態でマックスベットボタン６６を押下することで、第１リール〜第３リールの回転制御を開始することが可能な準備状態にセットされる。そして、遊技者がスタートレバー６７を押下すると抽選契機が発生して、主制御基板の制御により、第１リール〜第３リールがステッピングモータで回転開始されると共に、乱数値を用いた内部抽選が行われ、第１リール〜第３リールの回転速度が所定の速度まで上昇し定常回転になってから、ストップボタンＢ１〜ストップボタンＢ３による停止操作が有効化される。
【００２０】
その後、遊技者が任意のタイミングでストップボタンＢ１〜ストップボタンＢ３を押下すると、主制御基板は、ストップボタンＢ１〜ストップボタンＢ３が押下されたタイミング及び内部抽選の結果に応じた停止位置で第１リール〜第３リールを停止させる。
【００２１】
また、主制御基板は、第１リール〜第３リールを停止させた後に、有効ライン上に停止している図柄の組合せ、つまり入賞した図柄の組合せに応じて、各種処理を実行する。主制御基板が実行する各種処理としては、例えば、入賞した図柄の組合せがメダルの払い出しを伴う小役の図柄の組合せである場合には、入賞した小役に設定されている配当に基づきホッパーユニットからメダルを払い出す払出処理や、入賞した図柄の組合せが遊技者にメダルを消費させることなく１回遊技を実行可能にするリプレイの図柄の組合せである場合には、規定投入数のメダルを投入状態に設定するリプレイ処理等がある。
【００２２】
前面下扉６１には、各種の操作手段の他に、遊技情報表示部７０や下パネル７１が設けられている。遊技情報表示部７０は、ＬＥＤ、ランプ、７セグメント表示器等からなり、メダルの貯留数、１回の遊技におけるメダルの払出数、ボーナス状態でのメダルの払出数の合計等の各種遊技情報が表示される。下パネル７１は、例えば遊技機のテーマや関連するキャラクタの画像や商品名等が印刷されて、背面側に配置されている光源（不図示）により照明している。
【００２３】
また、前面下扉６１の下部には、不図示のメダル払出口とメダル受け皿７２とが設けられており、遊技の結果に応じた枚数のメダルがメダル払出口からメダル受け皿７２へ払い出されるようになっている。また、例えば、スロットマシン１内にメダルが貯留されている状態で、精算ボタン６８が押下された場合、精算ボタン６８の押下に伴ってホッパーユニットから貯留されたメダルの枚数を排出する精算処理が実行され、ホッパーユニットがメダル払出口からメダル受け皿７２へメダルを排出する。
【００２４】
図２は、前面上扉２０の背面を示す図である。図２に示すように、本実施形態の前面上扉２０は、蝶番２１ａ，２１ｂを介して固定部材としての筐体１０（図１参照）に支持されるベース部３０を有している。ベース部３０は、背面側において、ベース部３０の背面をカバーするカバー部３１と、カバー部３１に取り付けられ液晶表示装置８０（図１参照）をカバーする液晶カバー部３２と、液晶表示装置８０の後方に設けられ液晶カバー部３２に取り付けられた副制御基板ユニット３３と、を支持している。
【００２５】
副制御基板ユニット３３は、内部にスロットマシン１における演出に係る各種制御を実行する制御基板である副制御基板３３ａを有している。スロットマシン１は、副制御基板３３ａから出力される信号に基づき、液晶表示装置８０に映像を表示させる演出や、ランプやＬＥＤ（不図示）を発光させる演出、スピーカー（不図示）から音声を出力させる演出が選択的に実行される。
【００２６】
２．ベース部、上部ユニット、上板部材の詳細
図３は、前面上扉２０（図１、図２参照）のうちベース部３０よりも前面に設けられた構成部品の一部を示す分解図である。図３に示すように、ベース部３０の右方端部近傍には、穴３４ａ〜３４ｆが設けられており、穴３４ａ〜穴３４ｆのそれぞれから挿入される不図示のネジによって、スロットマシン１の右側において内部に有するＬＥＤを発光する演出を実行するユニットである右側ＬＥＤユニット３４が締結支持されている。また、ベース部３０の左方端部近傍には、穴３５ａ〜３５ｆが設けられており、穴３５ａ〜穴３５ｆのそれぞれから挿入される不図示のネジによって、スロットマシン１の左側において内部に有するＬＥＤを発光する演出を実行するユニットである左側ＬＥＤユニット３５が締結支持されている。
【００２７】
スロットマシン１の前方かつ上方に設けられたユニットであり、内部に有するＬＥＤを発光させる演出を実行するユニットであるとともに、スロットマシン１の種別を示すロゴや意匠が前面に施されたユニットである上部ユニット４０は、右側ＬＥＤユニット３４に設けられた穴３４ｇ、穴３４ｈのそれぞれから挿入された不図示のネジによって上部ユニット４０の右方端部近傍が締結支持され、左側ＬＥＤユニット３５に設けられた穴３５ｇ、穴３５ｈのそれぞれから挿入された不図示のネジによって上部ユニット４０の左方端部近傍が締結支持されることで、ベース部３０に支持されている。
【００２８】
そして、前面上扉２０では、ベース部３０の上部において、ベース部３０と上部ユニット４０との間に生じる隙間を被覆し、樹脂成型によって形成された上板部材５０が設けられている。上板部材５０は、ベース部３０の上方端部近傍に設けられた穴３６ａ〜穴３６ｅ（以下、穴３６ａ〜穴３６ｅをまとめて「穴３６」とも記載）のそれぞれから挿入されるネジ３７（図４参照）によって、一端側がベース部３０に締結支持されることで、ベース部３０の上部に取り付けられている。
【００２９】
図４は、ベース部３０、上部ユニット４０及び上板部材５０を右方から視た場合における断面図である。図４に示すように、上部ユニット４０は、樹脂成型によって形成され、右側ＬＥＤユニット３４及び左側ＬＥＤユニット３５を介してベース部３０に支持されるフレーム部４１に、ＬＥＤ基板４３を取り付けるベースとなるＬＥＤ基板ベース４２が不図示のネジによって締結支持されている。また、ＬＥＤ基板ベース４２には、フレーム部４１の前面側に設けられたロゴや意匠に光を照射するＬＥＤが複数取り付けられたＬＥＤ基板４３と、ＬＥＤ基板４３の背面をカバーするＬＥＤ基板カバー４４と、のそれぞれが不図示のネジによって締結支持されている。
【００３０】
また、上部ユニット４０では、樹脂成型によってフレーム部４１の上部に一体に形成され、上板部材５０に接続されるとともに、フレーム部４１及びＬＥＤ基板ベース４２と、ＬＥＤ基板４３と、ＬＥＤ基板カバー４４と、を含むフレーム部４１が支持する部品を被覆する被覆部４５が設けられている。
【００３１】
上板部材５０は、前面上扉２０の上面となる上板部５１と、図中右方に示す一端側に上板部５１と一体に設けられ、ベース部３０に設けられた穴３６のそれぞれに対応して設けられたネジ穴５２に、ベース部３０に設けられた穴３６のそれぞれからネジ３７が挿入されることで、ベース部３０に一端側が締結支持されている。
【００３２】
また、上板部材５０は、図中左方に示す他端側に上板部５１と一体に設けられ、下方に向けて伸び、複数の穴５４が設けられている壁部５３を有している。図４に示すように、上板部材５０は、穴５４からネジ５５が挿入されることで、他端側が上部ユニット４０のフレーム部４１にＬＥＤ基板ベース４２を介して支持されるＬＥＤ基板カバー４４に締結支持されている。
【００３３】
このような構成により、本実施形態の上板部材５０は、樹脂成型によって上板部５１と一体に成型された壁部５３に設けた穴５４からネジ５５が挿入されることで、ＬＥＤ基板カバー４４、ＬＥＤ基板ベース４２を介してフレーム部４１に支持されるため、上板部材５０の他端側をフレーム部４１に支持させるための新たな部品を設けることなく、設計コストや重量の増加を抑えてフレーム部４１に支持させることができる。
【００３４】
上述したように、本実施形態の上部ユニット４０は、フレーム部４１が右側ＬＥＤユニット３４及び左側ＬＥＤユニット３５（いずれも図３参照）を介してベース部３０に支持されており、右方端部近傍と左方端部近傍とが十分に支持されている。また、図４に示すように、フレーム部４１は、左右方向の両端部が固定されていることで最も撓みやすくなる左右方向の略中央部における前後方向の幅として幅Ｗ１を有し、片持ち梁形状であることで前後方向の後端側近傍の最も撓みやすくなる被覆部４５における上下方向の幅Ｗ２よりも十分に長い幅を有するように構成されている。このため、上部ユニット４０のフレーム部４１は、被覆部４５よりも高い剛性を有し、十分な強度を有している。
【００３５】
このような構成により、本実施形態のスロットマシン１は、上部ユニット４０の被覆部４５に接続される上板部材５０が、一端側が筐体１０に支持されるベース部３０に支持され、他端側がＬＥＤ基板カバー４４及びＬＥＤ基板ベース４２を介して十分な剛性を有するフレーム部４１に、被覆部４５を介することなく直接的に支持されることで、上板部材５０の一端側と他端側との双方が強固な部材に支持されるため、上板部材５０の強度を向上することができる。
【００３６】
図５は、被覆部４５と上板部材５０とが接続される箇所を拡大した断面図である。図５に示すように、被覆部４５は、図中右方側の端部である当接部４６が、上板部５１の他端側端部の当接部５７と当接することで、スロットマシン１（図１参照）の上部を被覆している。被覆部４５と上板部材５０とが当接し上部が被覆されることにより、スロットマシン１は、前面上扉２０（図１、図２参照）の上部においてベース部３０（図３参照）と上部ユニット４０（図３参照）との間に隙間が生じてしまうことを防ぎ、副制御基板３３ａ（図２参照）に外部から不正に侵入されてしまうことを防ぐことができる。
【００３７】
また、被覆部４５は、図中右方に向かって伸びる凸状の係合部としての凸部４７を有している。また、上板部材５０は、他端側において、凸部４７が挿入される被係合部としての凹部５８を有している。被覆部４５と上板部材５０とは、被覆部４５に設けられた凸部４７が上板部材５０に設けられた凹部５８に挿入され係合されることで、接続されるように構成されている。
【００３８】
このような構成により、本実施形態のスロットマシン１は、被覆部４５の凸部４７と上板部材５０の凹部５８とが係合されることで、被覆部４５と上板部材５０とが係合し接続する箇所の側面視断面形状を複雑にすることができ、前面上扉２０の上部からスロットマシン１の内部、特に副制御基板３３ａに不正に侵入されてしまうことを防ぐことができる。
【００３９】
なお、図４、図５に示すように、上板部材５０は、壁部５３の他端側から上部ユニットに向けて突出する突出部５６を有しており、被覆部４５と上板部材５０とが係合し接続した際に突出部５６が前後方向において被覆部４５と重複するように構成されることで、被覆部４５と上板部材５０とが係合し接続する箇所の側面視断面形状をより複雑にすることができ、前面上扉２０の上部からスロットマシン１の内部、特に副制御基板３３ａに不正に侵入されてしまうことを防ぐことができる。
【００４０】
以上のように、本実施形態のスロットマシン１は、上部ユニット４０の被覆部４５に接続される上板部材５０によって、前面上扉２０の上部を被覆することができ、スロットマシン１の外部からの不正な侵入を防止可能であるとともに、一端側が筐体１０に支持されるベース部３０に支持され、他端側が上板部材５０の上板部５１と一体に形成された壁部５３、ＬＥＤ基板カバー４４及びＬＥＤ基板ベース４２を介して十分な剛性を有するフレーム部４１に被覆部４５を介することなく直接的に支持されることで、新たな部材を設けることなく上板部材５０の一端側と他端側との双方が強固な部材に支持されるため、設計コスト及び重量の増加を抑えつつ上板部材５０の強度を向上することができ、十分な強度を有することができる。
【００４１】
３．変形例
なお、本実施形態において、上板部材５０は、上部ユニット４０のフレーム部４１に対して、ＬＥＤ基板カバー４４及びＬＥＤ基板ベース４２を介して支持されるように構成されているが、これに限定されない。上板部材５０は、ＬＥＤ基板カバー４４やＬＥＤ基板ベース４２を介することなく、フレーム部４１にネジによって締結支持されることで、フレーム部４１に直接的に支持されるように構成されていてもよい。
【００４２】
また、本実施形態において、上板部材５０は、上部ユニット４０のフレーム部４１に対して、ネジを用いて締結支持されているが、これに限らず、例えば、接着剤による固定やリベットによる固定によって支持されていてもよく、フレーム部４１に対して支持される際の方法については、本実施形態に限定されるものではない。
【００４３】
また、本実施形態において、スロットマシン１は、被覆部４５に設けられた凸部４７が上板部材５０に設けられた凹部５８に係合されることで被覆部４５と上板部材５０とが接続されるように構成されているが、これに限定されない。スロットマシン１は、被覆部４５の当接部４６と上板部材５０の当接部５７とが当接することで接続されるように構成されていてもよい。
【００４４】
また、本実施形態において、スロットマシン１は、被覆部４５に設けられた凸部４７が上板部材５０に設けられた凹部５８に係合されることで被覆部４５と上板部材５０とが接続されるように構成されているが、これに限定されない。スロットマシン１は、例えば、被覆部４５に設けられた非係合部としての凹部に上板部材５０に設けられた係合部としての凸部が係合されることで被覆部４５と上板部材５０とが接続されるように構成されていてもよく、被覆部４５と上板部材５０とは、一方の係合部が他方の被係合部に係合されることで接続されるように構成されていれば、本実施形態に限定されない。
【００４５】
また、本実施形態において、フレーム部４１は、最も撓みやすくなる箇所の幅を被覆部４５の最も撓みやすくなる箇所よりも長い幅に構成されることで、被覆部４５よりも高い剛性を有するように構成されているが、これに限らず、例えば、強度の高い金属材料から構成されることで樹脂材料の被覆部４５よりも高い剛性を有していてもよく、ハニカム構造等の強度が高い構造から構成されることで板状の被覆部４５よりも高い剛性を有していてもよく、被覆部４５よりも高い剛性を有し十分な強度を有する構成であれば、本実施形態に限定されない。
【００４６】
また、本実施形態では遊技機としてのスロットマシン１を一例として説明したが、本発明は弾球遊技機等のパチンコ機を含む各種の遊技機に適用可能であり、例えばパチンコ機における固定部材としての外枠に支持されるベース部に支持され、前方かつ上方に設けられた上部ユニットのフレーム部に他端側が直接的に支持され、一旦側がベース部の上部に取り付けられた上板部材が、上部ユニットのフレーム部及びフレーム部が支持する部品を覆う被覆部に接続されることで、パチンコ機の上部を被覆するように構成されていてもよい。
【符号の説明】
【００４７】
１    スロットマシン（遊技機）
１０  固定部材（筐体）
３０  ベース部
４０  上部ユニット
４１  フレーム部
４５  被覆部
４７  凸部（係合部）
５０  上板部材
５８  凹部（被係合部）
【図１】
2019072412.tif 000003
【図２】
2019072412.tif 000004
【図３】
2019072412.tif 000005
【図４】
2019072412.tif 000006
【図５】
2019072412.tif 000007